(57)【要約】  出力装置取り付け部分（４２）を有するモーター端部プレート（１６）と、モーター端部プレート取り付け部分（５０）を有する出力装置ハウジングとが提供される。出力装置取り付け部分（４２）は、モーター端部プレートと出力装置ハウジングとを一緒に連結するために、出力装置ハウジングのスロット部分と係合する固定タブ（４６）を有する。
2005514891.tif 000002
【特許請求の範囲】
【請求項１】
モーターおよび出力装置の組立体において、
出力装置取り付け部分を有するモーター端部プレートと、
出力装置ハウジングを有する出力装置であって、前記出力装置ハウジングが、前記出力装置ハウジングの軸線方向の一端部に、モーター端部プレート取り付け部分を有する、出力装置と、
前記モーター端部プレート取り付け部分上の取り付け機構と、
前記出力装置取り付け部分上の取り付け機構であって、前記モーター端部プレート取り付け部分の取り付け機構と連結する取り付け機構とを有し、
急速連結／連結解除取り付け部を形成するように、前記モーター端部プレート取り付け部分が、前記出力装置ハウジングに取り外し可能に連結される、モーターおよび出力装置の組立体。
【請求項２】
前記出力装置取り付け部分は、前記モーター端部プレートの中心から半径方向外側に延びる少なくとも一つの固定タブを有する、請求項１に記載のモーターおよび出力装置の組立体。
【請求項３】
前記モーター端部プレート取り付け部分は、前記出力装置ハウジングの周方向まわりに延在する少なくとも一つの周方向スロット部分を有し、
前記固定タブは、前記出力装置ハウジングに前記モーター端部プレートを取り外し可能に連結するために、前記周方向スロット部分内に配置される、請求項２に記載のモーターおよび出力装置の組立体。
【請求項４】
前記固定タブの表面上に配置された固定バンプと、
前記周方向スロット部分の表面内に配置された移動止め部とを有し、
前記固定バンプは、前記出力装置ハウジングに対して前記モーター端部プレートが回転することを妨げるように、前記移動止め部内に配置される、請求項３に記載のモーターおよび出力装置の組立体。
【請求項５】
前記出力装置ハウジングの軸線に対して平行方向に延在する軸線方向延在バーであって、前記周方向スロット部分の第一表面から前記周方向スロット部分の第二表面まで延在する軸線方向延在バーと、
前記固定タブの半径方向外側部分の固定移動止め部であって、前記出力装置ハウジングに対して前記モーター端部プレートが回転することを妨げるように、前記軸線方向延在バーと係合する固定移動止め部とを有する、請求項３に記載のモーターおよび出力装置の組立体。
【請求項６】
組立作業の間における前記固定タブのための通路を提供するために、前記モーター端部プレートに近接する前記出力装置ハウジングの軸線方向面から前記周方向スロット部分まで延在する、下側方向スロット部分を更に有する、請求項３に記載のモーターおよび出力装置の組立体。
【請求項７】
前記モーター端部プレートの半径方向外側周囲部に配置された少なくとも一つの開口部と、
前記出力装置ハウジングの内側壁部上に配置された顎付きタブとを更に有し、
前記顎付きタブが、前記出力装置ハウジングに前記モーター端部プレートを取り外し可能に連結するために、前記開口部と連結される、請求項１に記載のモーターおよび出力装置の組立体。
【請求項８】
前記出力装置ハウジングの周方向まわりに延在する一対の周方向スロット部分と、
前記モーター端部プレートの中心から半径方向外側に延びる一対の固定タブであって、前記一対の固定タブの各々が、前記出力装置ハウジングに前記モーター端部プレートを取り外し可能に連結するために、前記一対の周方向スロット部分のそれぞれの一つ内に配置される一対の固定タブとを、
更に有する、請求項３に記載のモーターおよび出力装置の組立体。
【請求項９】
前記一対の固定タブの各々と、それらのそれぞれのスロット部分とは、前記モーター端部プレートが前記出力装置に一方向のみで取り付けられることを可能にするように、異なった大きさにされる、請求項８に記載のモーターおよび出力装置の組立体。
【請求項１０】
さらに、前記モーター端部プレートは、前記モーターと一体化形成される、請求項１に記載のモーターおよび出力装置の組立体。
【請求項１１】
動力工具において、
ケーシングと、
前記ケーシング内に配置されたモーターおよび出力装置の組立体とを有し、
前記モーターおよび出力装置の組立体は、
出力装置取り付け部分を有するモーター端部プレートを備えるモーターと、
モーター端部プレート取り付け部分を有する出力装置ハウジングを備える出力装置とを有し、
前記モーター端部取り付け部分は、急速連結／連結解除取り付け部により、前記出力装置取り付け部分に取り外し可能に連結される、動力工具。
【請求項１２】
前記出力装置取り付け部分は、前記モーター端部プレートから半径方向外側に延びる少なくとも一つの固定タブを有し、
前記出力装置ハウジングは、前記出力装置ハウジングの外側面の周方向まわりに配置された少なくとも一つの周方向スロット部分を有し、
各前記固定タブは、前記出力装置ハウジングに係合された前記モーター端部プレートを保持するために、前記周方向スロット部分内に配置される、請求項１１に記載の動力工具。
【請求項１３】
前記出力装置取り付け部分は、前記モーター端部プレートから半径方向外側に配置された少なくとも一つの開口部を有し、
前記モーター端部プレート取り付け部分は、少なくとも一つの顎付きタブを有し、
前記顎付きタブは、前記モーター端部プレートを前記出力装置ハウジングに取り外し可能に連結するために、前記開口部に連結される、請求項１１に記載の動力工具。
【請求項１４】
出力装置をモーターに取り付ける方法において、
モーター端部プレートであって、前記モーター端部プレートから半径方向外側に延びる少なくとも一つの固定タブを有するモーター端部プレートを、モーターの軸線方向端部に提供するステップと、
出力装置ハウジングであって、前記出力装置ハウジングの周方向に配置された少なくとも一つの周方向スロット部分と、前記出力装置ハウジングの軸線方向端部に前記周方向スロット部分を繋ぐ少なくとも一つの下側方向スロット部分とを有する、出力装置ハウジングを提供するステップと、
前記固定タブを前記下側方向スロット部分内に挿入するために、前記モーター端部プレートを前記出力装置ハウジングの軸線方向端部に当接して配置するステップと、
前記下側方向スロット部分から離間する方向に前記周方向スロット部分に沿って、前記固定タブを移動するために、前記出力装置に対して前記モーター端部プレートを回転するステップとを有する、方法。
【請求項１５】
前記固定タブは、固定バンプを有し、
前記周方向スロット部分は、移動止め部を有し、
前記モーター端部プレートは、前記固定バンプが前記移動止め部内に配置されるまで、回転される、請求項１４に記載の方法。
【請求項１６】
モーターおよび出力装置の組立体であって、
モーター端部プレート取り付け手段を有するモーター端部プレートと、
出力装置ハウジング取り付け手段を有する出力装置ハウジングを備える出力装置とを有する、モーターおよび出力装置の組立体。
【発明の詳細な説明】
【技術分野】
【０００１】
本発明は、概して、モーター端部キャップ（motor  end  cap）、特に、簡易な出力装置マウント（output  device  mounting）を有するモーター端部キャップに関する。
【背景技術】
【０００２】
一般的な動力工具は、例えばドリル用ビット、ネジ回し、あるいは他の回転器具のような出力器具を回転駆動するモーターが備えられて形成される。このような装置により出力される回転速度およびトルクは、モーターと出力器具との間に、例えば遊星歯車セットのような出力装置が備えられることにより得られる。ここでの出力装置には、遊星歯車セットを保持する円形状のハウジングが含まれる。モーター自身は、出力装置ハウジングの軸線方向の一端部に取り付けられ、モーター出力シャフトピニオンが、遊星歯車セットを駆動するように出力装置ハウジング内に延在する。遊星歯車セットの出力部は、動力工具の出力器具を回転駆動する。このようにして、モーターと伝動装置とが一つのユニットを構成する。
【０００３】
通常、組立に際しては、外側工具ハウジングが取り付けられる前に、モーターと出力装置とが一体に組み立てられる。一体化されたユニットは、動力工具の内側シェルの内部に配置され組み立てられる。モーターと出力装置とを一体で保持するために、典型的には、モーターの端部キャップ上の耳部と出力装置ハウジングの外周囲部上の開口部とを通して複数のネジが締結される。ネジはまた、時々、耳部を通して締結される代わりに、モーターの端部の開口部を通して締結される。このようにネジを用いることでモーターと伝動装置とを一体で保持することができるが、出力装置およびモーター端部の開口部に複数のネジを配備するためには、付加的な工材および労働力が必要となり、システムの全体コストが増す。更に、ネジおよび開口部が、モーターおよび出力装置の外側部に備えられる場合、より広い半径方向スペースが結果的に必要となる。このように、ネジおよび開口部の追加することより、一体化ユニット全体には、より広い半径方向スペースが必要となる。これらの欠点あるいは他の欠点を鑑みて、本発明は創り出された。
【発明の開示】
【課題を解決するための手段】
【０００４】
これらの欠点あるいは他の欠点を克服するために、本発明は、モーターと出力装置との組立体であって、出力装置取り付け部分を有するモーター端部プレートと、モーター端部プレート取り付け部分を有する出力装置ハウジングとを備える組立体を提供する。出力装置取り付け部分は、出力装置ハウジングに取り外し可能に連結され、将来の、すなわち組み立てられた後の取り外しが容易で且つ付加的な固定具を必要としない一体化出力装置組立体を形成する。
【０００５】
別の態様においては、出力装置取り付け部分を有するモーター端部プレートと、モーター端部プレート取り付け部分を有する出力装置ハウジングとを備える動力工具が提供される。出力装置取り付け部分は、モーター端部プレート取り付け部分に取り外し可能に連結される。
【０００６】
別の態様においては、出力装置ハウジングにモーター端部プレートを取り付けるための方法が提供される。本方法には、出力装置ハウジングの軸線方向端部に当接してモーター端部プレートを配置し、出力装置取り付け部分の固定タブが、出力装置ハウジングのスロット部分内に載置されることを有する。次に、モーター端部プレートは、出力装置ハウジングのスロット部分に沿って固定タブを動かすために回転され、モーター端部プレートが出力装置ハウジングに取り外し可能に隣接する。
【０００７】
本発明の適用可能な更なる範囲は、本明細書の詳細な記載から明らかになりうる。本発明の好適な実施例を示しつつなされる詳細な説明および特定の実施例は、単なる例証のためのものであり、本発明の範囲を限定するものではないことは、理解されるべきである。
【０００８】
本発明は、詳細な説明および添付図面から、より十分に理解されうる。
【発明を実施するための最良の形態】
【０００９】
以下の好適な実施例の記載は、単なる例証であり、本発明、本発明の適用あるいは使用法を決して限定するものではない。
【００１０】
図１を参照すると、ケーシング１２と、モーター１４と、モーター端部プレート１６と、出力装置１８とを有する動力工具１０が示されている。
【００１１】
出力装置１８は、概して、出力装置ハウジング２０を有し、この出力装置ハウジング２０は、例えばネジ回しあるいは他の取り付けヘッドのような出力器具へのモーターからの入力トルクおよび回転速度を変更する遊星歯車セットを収納する。（図２に示される）出力シャフト３０は、出力装置１８の遊星歯車セットに対する太陽歯車としての役割を果たすピニオン３２を有する。このことにより、出力シャフト３０から伝達される回転エネルギーは、出力装置ハウジング２０内の遊星歯車に伝達され、最終的に出力器具に伝達される。
【００１２】
モーター１４は、ケーシング１２内に配置される。モーター端部プレート１６は、出力装置１８にモーター１４を連結する役割を果たす。（このことは以下に説明される。）タブ（ｔａｂ）３４は、モーター１４および出力装置１８がケーシング１２内の固定回転位置に保持されて据え付けられるように、ケーシング１２内へ延びる。ここで留意すべきことは、タブ３４は、ケーシング１２から端部キャップ１６内に延びてもよいということである。
【００１３】
図２には動力工具１０の組立が示され、図２を参照して動力工具１０の組立を説明する。モーター端部プレート１６をモーター１４に組み立てるために、モーターハウジング・タブ３８が、モーター端部プレート１６の切り抜き部分４０と係合する。（図２においては、４つのモーターハウジング・タブ３８のうちの２つのみが示されている。）モーターハウジング・タブ３８と切り抜き部分４０とが係合されると、モーターハウジング・タブ３８は、モーター端部プレート１６をモーター１４に隣接して固定するように曲げられる。しかし、モーター端部プレート１６をモーター１４に取り付けるために他の知られている方法が用いられることもできる。特に、モーター端部プレート１６は、缶形状部内のモーターの残部と一体化したユニットとして、成形加工、型成形あるいは押し出し成形されることができ、図６に示されるようにモーターと端部プレートとが一部品とされることができる。但し、この場合においてでさえも、モーター端部プレートが、モーターの底部分を占める。
【００１４】
図２、図３Ａおよび図４Ａを参照すると、出力装置ハウジング２０へのモーター端部プレート１６の取り付けが、更に詳細に図示されている。図３Ａにおいては、出力装置取り付け部分４２を有するモーター端部プレート１６が示されている。出力装置取り付け部分４２は、モーター端部プレート１６の下側に配置されたベース部分４４と、モーター端部プレート１６の中心から半径方向外側に延びる固定タブ４６とを有する。固定タブ４６の上側部には固定バンプ(locking  bump）４８がある。ここで留意すべきことは、出力装置取り付け部分４２がタブ３４のすぐ近くに配置されることである。この場合、図４Ａに示されるように、もう一つの出力装置取り付け部分４２が、図３Ａに図示された出力装置取り付け部分に対して、約１８０°反対側に配置されることもできる。しかしながら、ここで留意すべきことは、図示されるように、用いられるタブは一つのみでもよいということである。また、三つ以上のタブが用いられてもよく、タブの各々は、任意の半径方向位置に配置されることができ、１８０°離間されて配置される必要はない。
【００１５】
モーター端部プレート１６を出力装置ハウジング２０に連結するために、出力装置ハウジング２０は、モーター端部プレート取り付け部分５０を有する。モーター端部プレート取り付け部分５０は、出力装置ハウジング２０の軸線方向面に、軸線方向に配置された下側方向スロット部分５２を有する。周方向スロット部分５４は、出力装置ハウジング２０の周方向に延在し、また、ハウジングを貫通している。移動止め部（detent)５６が、周方向スロット部分５４に沿った所定の位置に配置される。
【００１６】
好ましくは、二つの固定タブ４６が、互いにから約１８０°離間して、モーター端部プレート１６の両側に配置される。各固定タブは、任意の知られている工程により形成されることができ、また、比較的に平坦なモーター端部プレートからタブを打ち抜く（stamping）ことにより形成されることもできる。組立作業においては、各固定タブ４６は、端部キャップの面が出力装置ハウジングの面と当接するまで、下側方向スロット部分５２内を下側方向に動かされる。次に、モーター端部プレート１６が、固定バンプ４８を移動止め部５６の方へ動かす方向に、その軸線のまわりに回転される。しかし、ここで留意すべきことは、モーター端部プレートを回転させる代わりに、モーター端部プレート１６に対して出力装置ハウジング２０を回転させてもよいということである。固定タブ４６の上側面とモーター端部プレート１６の底面との距離は、出力装置ハウジング２０の頂面と周方向スロット部分５４の上側面との距離よりも僅かに短い。このことにより、固定バンプ４８は、周方向スロット部分５４の上側面に押圧され抵抗力がもたらされる。固定バンプ４８が回転移動され移動止め部５６内に収まると、圧力は、ほとんど取り除かれ、固定バンプ４８は、この位置からの回転に対して抵抗する。好ましくは、モーター端部プレートと出力装置ハウジングとの固定関係を維持するために、幾らかの圧力が残される。図４Ａおよび図５に示されるように、各出力装置取り付け部分４２には、それぞれ、固定タブ４６と固定バンプ４８とが備えられる。モーター端部プレート１６の開口部３６と通して出力シャフト３０が配置されることにより、ピニオン３２が出力装置ハウジング２０の内側の遊星歯車セットと噛み合うことが可能となる。
【００１７】
図２に示されるように、組立の際、モーター１４および出力装置ハウジング２０は、ケーシング１２の内側に配置される。タブ３４およびタブ３５の各々は、それぞれの開口部３３および開口部３７の内側に収納される。このことは、ケーシング１２でモーターと出力装置とを軸方向および半径方向に支持する役割を果たし、モーター端部プレート取り付け部分および出力装置取り付け部分に掛かる力を軽減することを助力する。また、必要とされるタブおよび開口部は一つのみであるが、図示されるように、二つのタブおよび開口部が設けられることが好ましい。
【００１８】
図３Ｂおよび図４Ｂを参照すると、本発明の第二の実施例が図示されている。図３Ｂにおいては、出力装置取り付け部分４２は、モーター端部プレート１６の中心軸線から半径方向に最も外側の位置に固定バンプ４８Ａを備える固定タブ４６Ａを有する。また、出力装置ハウジング２０は、固定タブ４６Ａの幅に対応する幅を有する下側方向スロット部分５２を備える。周方向スロット部分５２には、移動止め部５６Ａが備えられる。移動止め部５６Ａは、周方向スロット部分５４の底面から周方向スロット部分５４の頂面まで延在する垂直なロッド(rod）である。
【００１９】
組立作業の際、モーター端部プレート１６は、固定タブ４６Ａが下側方向スロット部分５２内を下方へ移動できるように、出力装置ハウジング２０の上側面に配置される。次に、モーター端部プレート１６は、固定バンプ４８Ａを移動止め部５６Ａの方へ移動する方向に回転される。固定バンプ４８Ａと移動止め部５６Ａとは互いに干渉しあう。これにより、固定バンプ４８Ａが移動止め部５６Ａを通り過ぎて回転してしまうことを難しくすることができる。結果として、移動止め部５６Ａを通り過ぎた位置に固定バンプ４８Ａを移動するためには、モーター端部プレート１６を強制的に回転することが必要となる。このことは、モーター端部プレート１６が、出力装置ハウジング２０の固定位置に保持されることを確実にする。モーター端部プレート１６を解放するためには、反対方向に逆回転させることが必要となる。この回転もまた、固定バンプ４８Ａと移動止め部５６Ａとの間の干渉により妨げられる。
【００２０】
図３Ｃおよび図４Ｃを参照すると、本発明の第三の実施例が示されている。図３Ｃにおいては、モーター端部プレート１６は、タブ３４に隣接する開口部６０を有する。出力装置ハウジング２０のモーター端部プレート取り付け部分５０には、顎付きタブ（barbed  tab）６２が備えられる。顎付きタブ６２は、出力装置ハウジング２０に対して軸線方向に平行に延在し、出力装置の内側面に取り付けられる。これにより、モーター端部プレート１６が下側方向に移動され、出力装置ハウジング２０の上側面上に配置されるとき、顎付きタブ６２は、出力装置ハウジング２０により固定位置にモーター端部プレート１６を保持するように、開口部６０と連結する。
【００２１】
上記の三つの実施例において留意すべきことは、固定バンプ４８および４８Ａと下側方向スロット部分５２との幅は、ハウジングの両側で異なってもよいことである。具体的には、一方のスロット部分５２および対応する固定バンプが極めて広くされ、反対側の他方のスロット部分および固定バンプが狭くされることができる。かくして、固定バンプの各々は、それぞれのスロット部分のみに適合されることになる。このような構成によれば、モーター端部プレート１６は、出力装置ハウジングに対して一方向のみに取り付けられることができ、それ以外の他の方向に取り付けられることはない。つまり、モーター端部プレート１６を、１８０°回転して出力装置ハウジング２０に取り付けられることはできない。このことは、製造上において重要な利点をもたらす。特に、モーターおよび出力装置が、一つの所定の角度方向に整列されることが必要とされる場合、このような形態によれば、整列不良あるいは不適当な組立を妨げることができる。また、図３Ｃおよび図４Ｃの実施例においては、モーター端部プレート１６が出力装置ハウジング２０に対して一方向のみで取り付けられることを確実にするために、顎付きタブ６２および開口部６０が異なった形態にされることができる。さらに、留意すべきことは、図３Ａおよび図３Ｂに図示された実施例においては、モーター端部プレート１６が、移動止め部５６および５６Ａのそれぞれから外れる方向にモーター端部プレート１６を単純に回転することにより、出力装置ハウジング２０から極めて容易に取り外されることができることである。第三の実施例においては、開口部６０の壁部が、モーター端部プレート１６の取り外しのために顎付きタブ上を滑動できるように、１８０°離間した各側部に設けられた顎付きタブ６２が、半径方向外側あるいは半径方向内側に単純に動かされる。このことは、組立後の出力装置ハウジング２０の内部構成要素およびモーター１４を点検する際に有用である。
【００２２】
また、上記の三つの実施例において留意すべきことは、モーター端部プレート１６が、急速連結/連結解除取り付け機構を用いて、出力装置に取り付けられるということである。このことは、出力装置に対してモーター端部プレートを動かすことにより、モーター端部プレート１６が出力装置ハウジング２０に取り外し可能に連結されることを可能にする。具体的に言うと、図３Ａおよび図３Ｂにおいては、モーター端部プレートは、二つの要素を一緒に固定するために、押し下げられ回転される。また、この工程と逆の工程がなされることにより、固定は解除される。また、図３Ｃの実施例においは、モーター端部プレートは、顎付きタブ６２が開口部６０に固定されるまで押し下げられる。このように、本発明は、ネジ、ボルトあるいは他の付加的な装置のような、扱いにくい特別の要素を使用する代わりに、急速連結/連結解除取り付け機構を使用し、二つの要素を互いに対して単に動かすことで作用する。さらに留意すべきことは、本記載に含まれていない他の急速連結／連結解除の構成も使用されうるということである。
【００２３】
本発明の記載は単なる例証であり、本発明の要旨を逸脱しない変形物は、本発明の範囲内である。このような変形物は、本発明の精神および範囲から逸脱されたものとしてみなされるべきではない。
【図面の簡単な説明】
【００２４】
【図１】本発明に係る出力装置に取り付けられたモーターの断面図である。
【図２】本発明に係る出力装置およびモーターの分解斜視図である。
【図３Ａ】本発明の第一実施例に係る出力装置ハウジングとモーターとの間の取り付け部の分解斜視図である。
【図３Ｂ】本発明の第二実施例に係る出力装置ハウジングとモーターとの間の取り付け部の分解斜視図である。
【図３Ｃ】本発明の第三実施例に係る出力装置ハウジングとモーターとの間の取り付け部の分解斜視図である。
【図４Ａ】本発明の第一実施例に係るモーター端部プレートと出力装置ハウジングとの組立体の斜視図である。
【図４Ｂ】本発明の第二実施例に係るモーター端部プレートと出力装置ハウジングとの組立体の斜視図である。
【図４Ｃ】本発明の第三実施例に係るモーター端部プレートと出力装置ハウジングとの組立体の斜視図である。
【図５】本発明の第一実施例に係るモーター端部キャップの側面図である。
【図６】本発明に係る出力装置およびモーターの分解斜視図である。
【図１】
2005514891.tif 000003
【図２】
2005514891.tif 000004
【図３Ａ】
2005514891.tif 000005
【図３Ｂ】
2005514891.tif 000006
【図３Ｃ】
2005514891.tif 000007
【図４Ａ】
2005514891.tif 000008
【図４Ｂ】
2005514891.tif 000009
【図４Ｃ】
2005514891.tif 000010
【図５】
2005514891.tif 000011
【図６】
2005514891.tif 000012
【国際調査報告】
2005514891.tif 000013